(57)【要約】【課題】記録消去可能な光ディスク装置において、記録ストラテジを求める時のピークパワーと、ディスクに実際に記録するための最終実行ピークパワーが大きく乖離する場合があり、最終実行ピークパワーに対して、記録ストラテジが最適でなくなり、録再性能が悪化するという問題を有していた。【解決手段】光ディスクのコントロールデータ部に記載されている試し記録用ピークパワーＰｐｔとディスク推奨の記録用ピークパワーＰｐｏとの差に応じて、光ディスクのコントロールデータ部に記載されているディスク目標アシンメトリ値Ａｔを補正して補正アシンメトリ値Ａｏを算出し、算出した補正アシンメトリ値Ａｏを用いて記録ストラテジ学習用ピークパワーを決定することにより、実際にディスクに記録するための最終実行ピークパワーに対して記録ストラテジが最適になり、録再性能を向上させることができる。【選択図】図１
2007305188.tif 000002
【特許請求の範囲】
【請求項１】
光ディスクに少なくとも２つ以上のパワーであるピークパワーとバイアスパワーで情報を記録する光ピックアップと、前記光ピックアップから前記光ディスクのコントロールデータ部に記載されている記録ストラテジに応じてピークパワーとバイアスパワーにパワー変調された光を出力するように前記光ピックアップを駆動するレーザー駆動回路と、前記光ディスクからの信号を再生信号に変換する再生信号処理回路と、前記再生信号のアシンメトリを検出するアシンメトリ検出手段と、前記光ディスク内のコントロールデータ部に予め記載されている試し記録用ピークパワー値Ｐｐｔとディスク推奨の記録用ピークパワー値Ｐｐｏ、ディスク目標アシンメトリ値Ａｔ、バイアスパワーの値及び所定の記録ストラテジの値を前記再生信号より再生するコントロールデータ部再生手段と、前記コントロールデータ部に記載された試し記録用ピークパワー値Ｐｐｔとディスク推奨の記録用ピークパワー値Ｐｐｏにより前記コントロールデータ部に記載されたディスク目標アシンメトリ値Ａｔの補正アシンメトリ値Ａｏを算出する補正アシンメトリ値算出手段とを備え、前記補正アシンメトリ値算出手段により算出された補正アシンメトリ値Ａｏと前記アシンメトリ検出手段により検出されたアシンメトリから最適な記録ストラテジを設定するためのピークパワーを決定するようにしたことを特徴とする記録消去可能な光ディスク装置。
【請求項２】
補正アシンメトリ値算出手段により算出された補正アシンメトリ値Ａｏとアシンメトリ検出手段により検出されたアシンメトリから記録ストラテジを設定するための記録ストラテジ学習用ピークパワーを決定する記録ストラテジ学習用ピークパワー決定手段と、前記記録ストラテジ学習用ピークパワーに基づいて記録ストラテジを決定する記録ストラテジ決定手段とを備え、前記補正アシンメトリ値Ａｏを用いて決定された記録ストラテジ学習用ピークパワーに基づいて決定された記録ストラテジから、実際にディスクに記録するための最終実行ピークパワーを決定するようにしたことを特徴とする請求項１記載の記録消去可能な光ディスク装置。
【請求項３】
記録ストラテジ学習用ピークパワー決定手段において、アシンメトリ値を補正アシンメトリ値Ａｏとするとともに、学習の初期ピークパワーとして光ディスクのコントロール部に記載されているディスク推奨の記録用ピークパワー値Ｐｐｏを設定するようにしたことを特徴とする請求項２記載の記録消去可能な光ディスク装置。
【請求項４】
光ディスクのコントロールデータ部に記載されている試し記録用ピークパワーＰｐｔとディスク推奨の記録用ピークパワー値Ｐｐｏとの差に応じて、光ディスクのコントロールデータ部に記載されているディスク目標アシンメトリ値Ａｔを補正して算出された補正アシンメトリ値Ａｏを用いて決定された記録ストラテジ学習用ピークパワーに基づき決定された記録ストラテジと、最終実行バイアスパワーにより実際にディスクに記録するための最終実行ピークパワーを決定するようにしたことを特徴とする請求項３記載の記録消去可能な光ディスク装置。
【発明の詳細な説明】
【技術分野】
【０００１】
本発明は、光ディスク装置に関するものである。
【背景技術】
【０００２】
近年、光ディスク装置は映像信号および音響信号の記録、再生に広く利用されている。その中で、ＤＶＤ−ＲＡＭ  やＤＶＤ−ＲＷ  、ＤＶＤ＋ＲＷ  といった書き換え可能なＤＶＤが市場投入され、コンピュータ用バックアップ媒体、ＶＴＲ  に代わる映像記録媒体として、市場が拡大しつつある。
【０００３】
ＤＶＤ−ＲＡＭ  やＤＶＤ−ＲＷ等の記録消去可能な記録型ＤＶＤ媒体では、相変化記録方式が採用されている。相変化記録方式では、基本的に「０」と「１」の情報を結晶とアモルファスに対応させて記録を行なっている。この結晶化した部分とアモルファス化した部分にレーザービームを照射し、反射光を再生させることにより、記録された「０」と「１」を検出できる。所定の位置をアモルファスにするためには、比較的高いパワーのピークパワーでレーザービームを照射することにより、記録層の温度が記録層材料の融点以上になるように加熱する。また、所定の位置を結晶にするためには、比較的低いパワーのバイアスパワーでレーザービームを照射することにより、記録層の温度が記録層材料の融点以下の結晶化温度付近になるように加熱する。こうすることにより、アモルファス状態と結晶状態を可逆的に変化させることができる。
【０００４】
通常の記録消去可能な記録型ＤＶＤ媒体において、オーバーライトを行う際には、記録パワー（以下、ピークパワー）とそれよりも低い消去パワー（以下、バイアスパワー）の間で記録パルスの変調を行い、既に記録されているアモルファスのマークを消去しながら新しい記録を行う。オーバーライトを行う際に、バイアスパワーが小さくなると、新しい情報を記録する過程で以前に記録された情報が残り、それがノイズとなり正確な情報を記録できなくなる。また、ピークパワーが小さくなると正しくマークを形成することができず、記録性能が悪化し、逆に、ピークパワーが大きすぎると、ディスクへのストレスが増加し、繰り返し記録性能が悪化する。また、記録パルス列の構成（以下、記録ストラテジ）が最適でないと、「０」と「１」の情報が所定の位置からずれるため再生品質が悪化する。したがって、正しい記録を行うためには、適切なピークパワー、バイアスパワー、記録ストラテジの決定が不可欠である。
【０００５】
図７は、従来のピークパワー、バイアスパワー、記録ストラテジの決定方法の一例のフローチャートである。図７を用いてピークパワー、バイアスパワー、記録ストラテジの決定方法について一例を挙げる。
【０００６】
光ディスク上のパワーを決定するための試し書き領域へ光ピックアップが移動し（Ｓ３０１）、光ディスクのコントロールデータ部に記載されている各速度の記録ストラテジ、記録ストラテジを決定するための試し書き用のピークパワーＰｐｔ及びバイアスパワーの情報を読み込み設定する（Ｓ３０２）。読みこんだ記録ストラテジの記録波形とピークパワーＰｐｔを用いて、バイアスパワーを変化させながらランダムパターンの記録を行い、エラーレートが閾値を超える低パワー側と高パワー側のバイアスパワーの値を求め、前記低パワー側と高パワー側の２つのバイアスパワーの値に基づいて最終実行バイアスパワーを決定する（Ｓ３０３）。次に、決定した最終実行バイアスパワーの値を用いて、ピークパワーを変化させながら記録を行い、アシンメトリを測定し、コントロールデータ部に記載されているディスク目標アシンメトリ値Ａｔが得られる記録ストラテジを決めるためのピークパワーを決定する（Ｓ３０４）。前記ステップＳ３０４で決定された記録ストラテジを決めるためのピークパワーと前記最終実行バイアスパワーで記録ストラテジの決定（以下、記録ストラテジ学習）を行なう（Ｓ３０５）。ここで、記録ストラテジ学習は、マーク部の前後のスペース長に応じて、マルチパルス波形の先頭パルスの幅と最後尾のパルス幅を変化させて、エラーレートが最小となるように行う。決定した記録ストラテジの波形と、最終実行バイアスパワーを用いてピークパワーを変化させながらランダムパターンの記録を行ない、エラーレートが閾値を超えるピークパワーを求め、コントロールデータ部に記載されているピークパワーの感度係数の情報を読みこみ、求めたピークパワーに感度係数を掛けて実際にディスクに記録するための最終実行ピークパワーを決定する（Ｓ３０６）。このように、記録ストラテジ、ピークパワー、バイアスパワーを求めるための従来の方法がある（例えば、特許文献１や非特許文献参照）。
【０００７】
上記方法で決定するパワー、ストラテジの中でも、記録ストラテジ学習用ピークパワーは、「０」と「１」の情報を所定の位置に記録する再生品質に直結する記録ストラテジ学習を行うためのピークパワーであり、この記録ストラテジ学習用ピークパワーが最適でないと、その後に学習する記録ストラテジが正しく決定できないため、録再性能が大きく悪化することとなる。
【０００８】
図５は従来の光ディスク装置のブロック図を示すものであり、図５において、１は光ディスク、２は光ピックアップ、３は再生信号処理回路、４はアシンメトリ検出手段、５はコントロールデータ部再生手段、６は記録ストラテジ学習用ピークパワー決定手段、７はピークパワー設定手段、８はレーザー駆動回路である。光ピックアップ２は、記録、再生を行うための光を出射する光源と光ディスク１に光を集光する対物レンズを備えており、記録パワーのレーザー光を光ディスクに出射し光ディスク上に記録を行い、また、再生パワーのレーザー光を光ディスクに出射し光ディスクからのレーザー反射光を受光し、光ディスク上に記録された情報を読み取る。再生信号処理回路３は、光ディスクからの信号を、増幅、波形等化、２値化等の再生信号処理を行い、再生信号を生成する。アシンメトリ検出手段４は、再生信号を入力し、その再生信号のアシンメトリを検出する。コントロールデータ部再生手段５は、再生信号を入力し、その再生信号からコントロールデータ部の情報を再生する。記録ストラテジ学習用ピークパワー決定手段６は、アシンメトリ値Ａｔと複数のピークパワーでのアシンメトリの測定結果に基づいて記録ストラテジ学習用ピークパワーを決定する。ピークパワー設定手段７は、ピークパワーをレーザー駆動回路８に設定し、レーザー駆動回路８は、設定されたピークパワーに応じて光ピックアップのレーザーを駆動する。
【０００９】
図６に、従来の光ディスク装置の記録ストラテジ学習用ピークパワーの決定方法のフローチャートを示す。光ディスク上のパワーを決定するための試し書き領域へ光ピックアップが移動し（Ｓ２０１）、光ディスクのコントロールデータ部に記載されている試し書き用のピークパワーＰｐｔを初期ピークパワーとして設定する（Ｓ２０２）。その後、初期パワーで光ディスク上の試し書き領域に記録を行い、その記録データのアシンメトリを測定する（Ｓ２０３、Ｓ２０４）。アシンメトリ測定値がコントロールデータ部に記載されているディスク目標アシンメトリ値Ａｔに対して、あらかじめ決められた範囲内（Ａｔ−α≦測定値≦Ａｔ＋α）に入っているかどうかを判別し（Ｓ２０５）、アシンメトリ測定値があらかじめ決められた範囲内に入っていなければ（Ｓ２０５でＮＯ）、アシンメトリ測定値が、ディスク目標アシンメトリ値Ａｔに対して大きいかどうかを判別する（Ｓ２０６）。
【００１０】
なお、ディスク目標アシンメトリ値Ａｔに対してどこまでの範囲までを許容するかを決めるＡｔ±αのαは、レーザー制御のばらつき等の関係からあらかじめ決定しておく。
【００１１】
アシンメトリ測定値が、ディスク目標アシンメトリ値Ａｔより大きければ（Ｓ２０６でＹＥＳ）、その前の記録までにアシンメトリ測定値がディスク目標アシンメトリ値Ａｔより小さいことがあったかどうかの判別を行い（Ｓ２０７）、アシンメトリ測定値がディスク目標アシンメトリ値Ａｔより小さいことがなければ（Ｓ２０７でＮＯ）、ピークパワーを下げて（Ｓ２０８）、パワーを設定し（Ｓ２０３）、設定されたパワーで同様に記録、アシンメトリ測定を行い（Ｓ２０４）、アシンメトリ測定値の判別を行う（Ｓ２０５、Ｓ２０６）。
【００１２】
このようにして、ピークパワーを下げていって記録、アシンメトリ測定を繰り返し、アシンメトリ測定値があらかじめ決められた範囲内に入るか、ディスク目標アシンメトリ値Ａｔより小さくなるまで記録、再生を繰り返していく。
【００１３】
アシンメトリ測定値が、あらかじめ決められた範囲内に入れば（Ｓ２０５でＹＥＳ）、
その時のピークパワーを最適ピークパワーとし（Ｓ２１１）、アシンメトリ測定値がディスク目標アシンメトリ値Ａｔより小さくなれば（Ｓ２０７でＹＥＳ）、ディスク目標アシンメトリ値Ａｔより小さくなった時のピークパワーとその直前のピークパワーの平均を最適ピークパワーとして決定する（Ｓ２１２）。
【００１４】
また、アシンメトリ測定値がディスク目標アシンメトリ値Ａｔより小さければ（Ｓ２０６でＮＯ）、その前の記録までにアシンメトリ測定値がディスク目標アシンメトリ値Ａｔより大きいことがあったかどうかの判別を行い（Ｓ２０９）、アシンメトリ測定値がディスク目標アシンメトリ値Ａｔより大きいことがなければ（Ｓ２０９でＮＯ）、ピークパワーを上げて（Ｓ２１０）、パワーを設定し（Ｓ２０３）、設定されたパワーで前回と同様に記録、アシンメトリ測定を行い（Ｓ２０４）、アシンメトリ値の判別を行う（Ｓ２０５、Ｓ２０６）。
【００１５】
このようにして、ピークパワーを上げていって記録、アシンメトリ再生を繰り返し、アシンメトリ測定値があらかじめ決められた範囲内に入るか、ディスク目標アシンメトリ値Ａｔより大きくなるまで記録、再生を繰り返していく。
【００１６】
アシンメトリ測定値が、あらかじめ決められた範囲内に入れば（Ｓ２０５でＹＥＳ）、
その時のピークパワーを最適ピークパワーとし（Ｓ２１１）、アシンメトリ測定値がディスク目標アシンメトリ値Ａｔより大きくなれば（Ｓ２０９でＹＥＳ）、ディスク目標アシンメトリ値Ａｔより大きくなった時のピークパワーとその直前のピークパワーの平均を最適ピークパワーとして決定する（Ｓ２１２）。
【００１７】
しかしながら、上記のような方法では、記録ストラテジを求める時のピークパワーは、光ディスクのコントロールデータ部に記載されているディスク目標アシンメトリ値Ａｔだけで決められるため、記録ストラテジ学習後にエラーレートで決められるディスクに実際に記録するための最終実行ピークパワーと全く関連がなく、記録ストラテジ学習用ピークパワーと、ディスクに実際に記録するための最終実行ピークパワーが大きく乖離する場合があり、この時、ディスクに実際に記録するための最終実行ピークパワーに対して、記録ストラテジが最適でなくなる可能性があり、例えば、通常時では図８のようになる最終実行ピークパワーと録再ジッタの特性が、記録ストラテジ学習用ピークパワーと最終実行ピークパワーが大きく乖離すると、図９のようになり録再性能が悪化し録再マージンが狭くなるという問題点があり、解決されるべき課題となっていた。
【００１８】
本発明は上記課題に鑑み、光ディスクのコントロールデータ部に記載されている試し記録用ピークパワーＰｐｔとディスク推奨の記録用ピークパワーＰｐｏとの差に応じて、コントロールデータ部に記載されているディスク目標アシンメトリ値Ａｔを補正して補正アシンメトリ値Ａｏを算出し、算出した補正アシンメトリ値Ａｏを用いて、記録ストラテジ学習用ピークパワーを決定することにより、コントロールデータ部に記載されているディスク推奨の記録用ピークパワーＰｐｏによる補正を行うことで、記録ストラテジを学習する時のピークパワーとディスクに実際に記録するための最終実行ピークパワーが乖離することを抑制し、記録ストラテジ学習用ピークパワーを最適に決定することができる記録消去可能な光ディスク装置を提供するものである。
【特許文献１】特開２００４−３１９０６８号公報
【非特許文献１】ＤＶＤ  Ｓｐｅｃｉｆｉｃａｔｉｏｎｓ  ｆｏｒ  Ｒｅｗｒｉｔａｂｌｅ  Ｄｉｓｃ（ＤＶＤ−ＲＡＭ）  Ｐａｒｔ１  ＰＨＹＳＩＣＡＬ  ＳＰＥＣＩＦＩＣＡＴＩＯＮＳ
【発明の開示】
【発明が解決しようとする課題】
【００１９】
解決しようとする課題は、記録ストラテジを決定する時のピークパワーと、ディスクに実際に記録するための最終実行ピークパワーが大きく乖離する場合があり、最終実行ピークパワーに対して記録ストラテジが最適でなくなり、録再性能が悪化するという問題点を解決することであり、本願発明は上記課題を解決することを目的とするものである。
【課題を解決するための手段】
【００２０】
上記目的を達成するために、本願発明の記録消去可能な光ディスク装置は、ディスクに実際に記録するための最終実行ピークパワーに対して記録ストラテジが最適となるように、記録ストラテジ学習用ピークパワーを決定することができるように、補正アシンメトリ値Ａｏ算出手段を設けることにより記録ストラテジ学習用ピークパワー決定方法を改良することで実現した。
【００２１】
すなわち、光ディスクに少なくとも２つ以上のパワーであるピークパワーとバイアスパワーで情報を記録する光ピックアップと、上記光ピックアップから前記光ディスクのコントロールデータ部に記載されている記録ストラテジに応じてピークパワーとバイアスパワーにパワー変調された光を出力するように上記光ピックアップを駆動するレーザー駆動回路と、前記光ディスクからの信号を再生信号に変換する再生信号処理回路と、前記再生信号のアシンメトリを検出するアシンメトリ検出手段と、前記光ディスク内のコントロールデータ部に予め記載されている試し記録用ピークパワー値Ｐｐｔと、ディスクに対する推奨値としての記録用ピークパワー値Ｐｐｏ、ディスク目標アシンメトリ値Ａｔ、バイアスパワーの値及び所定の記録ストラテジの値を前記再生信号より再生するコントロールデータ部再生手段と、前記光ディスク内のコントロールデータ部に記載された試し記録用ピークパワー値Ｐｐｔとディスクに対する推奨値としての記録用ピークパワー値Ｐｐｏにより前記コントロールデータ部に記載されたディスク目標アシンメトリ値Ａｔの補正アシンメトリ値Ａｏを算出する補正アシンメトリ値算出手段とを備え、前記補正アシンメトリ値算出手段により算出された補正アシンメトリ値Ａｏと前記アシンメトリ検出手段により検出されたアシンメトリから最適な記録ストラテジを設定するためのピークパワーを決定することを主要な特徴とする。
【発明の効果】
【００２２】
本発明の光ディスク装置は、光ディスクのコントロールデータ部に記載された試し記録用ピークパワーＰｐｔとディスクに対する推奨値としての記録用ピークパワーＰｐｏとの差に応じて、光ディスクのコントロールデータ部に記載されたディスク目標アシンメトリ値Ａｔを補正して補正アシンメトリ値Ａｏを算出し、算出した補正アシンメトリ値Ａｏを用いて記録ストラテジ学習用ピークパワーを決定する方法により、ディスクに実際に記録するための最終実行ピークパワーに対して記録ストラテジが最適になり録再性能が向上するという効果を奏するものである。
【発明を実施するための最良の形態】
【００２３】
光ディスクのコントロールデータ部に記載されたディスクに対する推奨値としての記録用ピークパワーＰｐｏを用いて、光ディスクのコントロールデータ部に記載された試し記録用ピークパワーＰｐｔとディスク目標アシンメトリ値Ａｔより補正アシンメトリ値Ａｏを算出し、前記算出された補正アシンメトリ値Ａｏを用いて、記録ストラテジを決定するための記録ストラテジ学習用ピークパワーを決定することにより、記録ストラテジを決定する時のピークパワーとディスクに実際に記録する時のピークパワーの乖離を抑制することができる。
【００２４】
（実施の形態１）
以下に本発明の光ディスク装置、実施の形態を説明する。図１は、本発明の実施の形態１のブロック図を示している。図１において、１は光ディスク、２は光ピックアップ、３は再生信号処理回路、４はアシンメトリ検出手段、５はコントロールデータ部再生手段、６は記録ストラテジ学習用ピークパワー決定手段、７はピークパワー設定手段、８はレーザー駆動回路、９は補正アシンメトリ値Ａｏ算出手段である。
【００２５】
光ピックアップ２は、記録、再生を行うための光を出射する光源と光ディスク１に光を集光する対物レンズを備えており、記録パワーのレーザー光を光ディスクに出射し光ディスク上に記録を行い、また、再生パワーのレーザー光を光ディスクに出射し光ディスクからのレーザー反射光を受光し、光ディスク上に記録された情報を読み取る。再生信号処理回路３は、光ディスクからの信号を、増幅、波形等化、２値化等の再生信号処理を行い、再生信号を生成する。アシンメトリ検出手段４は、再生信号を入力し、その再生信号のアシンメトリを検出する。コントロールデータ再生手段５は、再生信号を入力し、その再生信号からコントロールデータ部の情報を再生する。記録ストラテジ学習用ピークパワー決定手段６は、補正アシンメトリ値算出手段９において算出された補正アシンメトリ値Ａｏと複数のピークパワーでのアシンメトリの測定結果に基づいて記録ストラテジ学習用ピークパワーを決定する。ピークパワー設定手段７は、ピークパワーをレーザー駆動回路８に設定し、レーザー駆動回路８は、設定されたピークパワーに応じて光ピックアップのレーザーを駆動する。
【００２６】
相変化型光ディスク装置では、決定するパラメータとして、少なくともピークパワーとバイアスパワーと記録ストラテジがある。本実施の形態では、記録ストラテジ学習用ピークパワーの決定方法について説明する。
【００２７】
最初に、光ディスクへの記録と記録した信号のアシンメトリについて説明する。ピークパワー設定手段７により、ピークパワーの値がレーザー駆動回路８に設定される。続いて光ディスク上の所定の位置に記録するための信号がレーザー駆動回路８に送られ、光ピックアップにより光ディスク上にデータが記録される。この時、光ピックアップの構成要素である半導体レーザーの出力光は、光ディスク上に光スポットとして集光され、発光波形に応じた記録マークが光ディスク上に形成される。記録が終わると、光ピックアップの半導体レーザーは再生パワーで発光し、先ほど記録を行ったトラックを再生し、再生信号として光ディスク上の記録マークの有無により変化する信号が再生信号処理回路に入力される。再生信号処理回路で、増幅、波形等化等の再生信号処理を受け、アシンメトリ検出手段に入力される。アシンメトリ検出手段は、記録した信号のアシンメトリを検出する。図４に、光ディスク上に記録された信号の一例を示す。アシンメトリは、図４の各パラメータから下記の数式１により定義される。
【００２８】
【数１】
2007305188.tif 000003
【００２９】
図２は、本発明の実施の形態の記録ストラテジ学習用ピークパワー決定方法の動作を示すフローチャートであり、図２を用いて本発明の実施の形態での記録ストラテジ学習用ピークパワー決定方法を説明する。
【００３０】
光ディスク上の記録パワーを決定するための試し書き領域へ光ピックアップが移動し（Ｓ１１）、光ディスクのコントロールデータ部に記載されているディスク推奨の記録用ピークパワーＰｐｏを初期ピークパワーとして設定する（Ｓ１２）。
【００３１】
光ディスクのコントロールデータ部に記載されているディスク目標アシンメトリ値Ａｔ、試し記録用ピークパワーＰｐｔ、ディスク推奨の記録用ピークパワーＰｐｏを用いて、下記の数式２により補正アシンメトリＡｏを算出し、その値を学習目標アシンメトリとする（Ｓ１３）。
【００３２】
【数２】
2007305188.tif 000004
【００３３】
なお、数式２のβについては、レーザー制御のばらつき等を考慮し、ピークパワーとアシンメトリ値の関係からあらかじめ決定しておけばよい。
【００３４】
初期パワーで光ディスク上の試し書き領域に記録を行い、その記録データのアシンメトリを測定する（Ｓ１４、Ｓ１５）。アシンメトリ測定値が、補正アシンメトリ値Ａｏに対して、あらかじめ決められた範囲内（Ａｏ−α≦測定値≦Ａｏ＋α）に入っているかどうかを判別し（Ｓ１６）、アシンメトリ測定値が、あらかじめ決められた範囲内に入っていなければ（Ｓ１６でＮＯ）、アシンメトリ測定値が補正アシンメトリ値Ａｏに対して大きいかを判別する（Ｓ１７）。アシンメトリ測定値が、補正アシンメトリ値Ａｏより大きければ（Ｓ１７でＹＥＳ）、その前の記録までに、アシンメトリ測定値が補正アシンメトリ値Ａｏより小さいことがあったかどうかの判別を行い（Ｓ１８）、アシンメトリ測定値が補正アシンメトリ値Ａｏより小さいことがなければ（Ｓ１８でＮＯ）、ピークパワーを下げて（Ｓ１９）、パワーを設定し（Ｓ１４）、設定されたパワーで同様に記録、アシンメトリ測定を行い（Ｓ１５）、アシンメトリ測定値の判別を行う（Ｓ１６、Ｓ１７）。
【００３５】
このようにして、ピークパワーを下げていって記録、アシンメトリ測定を繰り返し、アシンメトリ測定値があらかじめ決められた範囲内に入るか、補正アシンメトリ値Ａｏより小さくなるまで記録、再生を繰り返していく。
【００３６】
アシンメトリ測定値が、あらかじめ決められた範囲内に入れば（Ｓ１６でＹＥＳ）、その時のピークパワーを最適ピークパワーとし（Ｓ２２）、アシンメトリ測定値が、補正アシンメトリ値Ａｏより小さくなれば（Ｓ１８でＹＥＳ）、補正アシンメトリ値Ａｏより小さくなった時のピークパワーとその直前のピークパワーの平均を最適ピークパワーとして決定する（Ｓ２３）。
【００３７】
アシンメトリ測定値が、補正アシンメトリ値Ａｏより小さければ（Ｓ１７でＮＯ）、その前の記録までに、アシンメトリ測定値が補正アシンメトリ値Ａｏより大きいことがあったかどうかの判別を行い（Ｓ２１）、アシンメトリ測定値が補正アシンメトリ値Ａｏより大きいことがなければ（Ｓ２１でＮＯ）、ピークパワーを上げて（Ｓ２０）、パワーを設定し（Ｓ１４）、設定されたパワーで前回と同様に記録、アシンメトリ測定を行い（Ｓ１５）、アシンメトリ値の判別を行う（Ｓ１６、Ｓ１７）。
【００３８】
このようにして、ピークパワーを上げていって記録、アシンメトリ測定を繰り返し、アシンメトリ測定値があらかじめ決められた範囲内に入るか、補正アシンメトリ値Ａｏより小さくなるまで記録、アシンメトリ測定を繰り返していく。
【００３９】
アシンメトリ測定値が、あらかじめ決められた範囲内に入れば（Ｓ１６でＹＥＳ）、その時のピークパワーを最適ピークパワーとし（Ｓ２２）、アシンメトリ測定値が、補正アシンメトリ値Ａｏより大きくなれば（Ｓ２１でＹＥＳ）、補正アシンメトリ値Ａｏより大きくなった時のピークパワーとその直前のピークパワーの平均を最適ピークパワーとして決定する（Ｓ２３）。
【００４０】
この一連の動作の中で、光ディスクのコントロールデータ部に記載されている試し記録用ピークパワーＰｐｔとディスク推奨の最終記録用ピークパワーＰｐｏとの差に応じて、コントロールデータ部に記載されているディスク目標アシンメトリ値Ａｔを補正して、補正アシンメトリ値Ａｏを算出し、算出した補正アシンメトリ値Ａｏを用いて記録ストラテジ学習用ピークパワーを決定する方法により、記録ストラテジを求める時のピークパワーとディスクに実際に記録するための最終実行ピークパワーが乖離することを抑制して、記録ストラテジ学習用ピークパワーを最適に決定することができる。
【００４１】
図３のフローチャートに示すように、本実施の形態の一例では、光ディスクの試し書き領域へ移動し（Ｓ１０１）、光ディスクのコントロールデータ部に記載されているディスク推奨の記録用ピークパワーＰｐｏ、バイアスパワー、記録ストラテジを設定し（Ｓ１０２）、エラーレートにより最終実行バイアスパワーを求め（Ｓ１０３）、コントロールデータ部に記載されている試し書き記録用ピークパワーＰｐｔ、ディスク推奨の記録用ピークパワーＰｐｏ、ディスク目標アシンメトリ値Ａｔより補正アシンメトリ値Ａｏを算出して記録ストラテジ学習用ピークパワーを求め（Ｓ１０４）、求めた記録ストラテジ学習用ピークパワーを用いて記録ストラテジ学習を行い（Ｓ１０５）、求めた最終実行バイアスパワーと記録ストラテジを用いて最終実行ピークパワーを求める（Ｓ１０６）ことで、最適な記録ストラテジ、ピークパワー、バイアスパワーで光ディスクに記録を行うことができる。
【００４２】
本実施の形態では、コントロールデータ部に記載されているディスク推奨の記録用ピークパワーＰｐｏを初期ピークパワーとした後に補正アシンメトリＡｏを算出し、記録ストラテジ学習用ピークパワーを決定するという一連の方法になっているが、当然、光ディスクのコントロールデータ部に記載されているディスク推奨の記録用ピークパワーＰｐｏを初期ピークパワーとするか、補正アシンメトリＡｏを算出し、初期ピークパワーとして設定されている試し記録用ピークパワーＰｐｔと、算出した補正アシンメトリＡｏを用いて記録ストラテジ学習用ピークパワーを決定するかのどちらか一つの方法を用いてもよい。
【００４３】
なお、本発明は、ここで説明した実施例によって限定されるものではなく、同様の効果を得られるやり方はほかにも考えられる。
【産業上の利用可能性】
【００４４】
本発明の記録消去可能な光ディスク装置は、ディスクのコントロールデータ部に記載されているディスク目標アシンメトリ値Ａｔに対して、ディスクのコントロールデータ部に記載されているディスク推奨の記録用ピークパワーＰｐｏによる補正を行い、補正アシンメトリ値Ａｏを算出し、補正アシンメトリ値Ａｏを用いて、記録ストラテジを求める時の記録ストラテジ学習用ピークパワーを決定することにより記録ストラテジを求める時の記録ストラテジ学習用ピークパワーとディスクに実際に記録するための最終実行ピークパワーが乖離することを抑制して、最適な記録ストラテジ用ピークパワーを決定することができる。
【００４５】
それゆえ、本発明は光ディスクへの記録データの信頼性をいっそう向上することができる。
【図面の簡単な説明】
【００４６】
【図１】本発明の実施の形態に於けるブロック図
【図２】本発明の実施の形態に於ける記録ストラテジ学習用ピークパワー決定方法のフローチャート
【図３】本発明の実施の形態に於ける記録ストラテジ学習用ピークパワー決定方法を含むピークパワー、バイアスパワー、記録ストラテジの決定方法の一例のフローチャート
【図４】アシンメトリの定義を示す光ディスク上に記録された信号の波形図
【図５】従来の光ディスク装置のブロック図
【図６】従来の光ディスク装置の記録ストラテジ学習用ピークパワー決定方法のフローチャート
【図７】従来の記録ストラテジ学習用ピークパワー決定方法を含むピークパワー、バイアスパワー、記録ストラテジの決定方法のフローチャート
【図８】ピークパワーとジッタの理想的関係の一例を示す図
【図９】ピークパワーとジッタが理想的関係でない一例を示す図
【符号の説明】
【００４７】
１    光ディスク
２    光ピックアップ
３    再生信号処理回路
４    アシンメトリ検出手段
５    コントロールデータ部再生手段
６    ピークパワー決定手段
７    ピークパワー設定手段
８    レーザー駆動回路
９    補正アシンメトリ値Ａｏ算出手段
【図１】
2007305188.tif 000005
【図２】
2007305188.tif 000006
【図３】
2007305188.tif 000007
【図５】
2007305188.tif 000008
【図６】
2007305188.tif 000009
【図７】
2007305188.tif 000010
【図８】
2007305188.tif 000011
【図９】
2007305188.tif 000012
【図４】
2007305188.tif 000013